(57)【要約】【課題】天井部の断熱性を高めることのできる天井下地の構造を提案する。【解決手段】天井下地の構造は、建物の梁１に吊り下げ支持される連結部２と、連結部２に支持される野縁３と、野縁３の上側に積層される断熱層５を具備する。野縁３は、平面視において梁１と交差する領域に、凹段部３２を有する。断熱層５は、野縁３の他の部分３１に積層される第一断熱層５１と、野縁３の凹段部３２と梁１との間に積層される第二断熱層５２を含む。【選択図】図１
2016113831.tif 000002
【特許請求の範囲】
【請求項１】
建物の梁に吊り下げ支持される連結部と、
前記連結部に支持される野縁と、
前記野縁の上側に積層される断熱層を具備し、
前記野縁は、
平面視において前記梁と交差する領域に、他の部分よりも下方にへこんだ形状の凹段部を有し、
前記断熱層は、
前記野縁のうち前記他の部分の上側に積層される第一断熱層と、前記野縁の前記凹段部と前記梁との間に積層される第二断熱層を含む、
天井下地の構造。
【請求項２】
前記野縁は、
一直線状である第一野縁材と、一直線状であり且つ前記凹段部を有する第二野縁材を含み、前記第一野縁材と前記第二野縁材を、前記連結部を介して互いに結合させたものである、
請求項１に記載の天井下地の構造。
【請求項３】
前記連結部は、
前記梁を挟んで一方の側に位置する第一連結具と、前記梁を挟んで他方の側に位置する第二連結具を含み、
前記野縁は、
一直線状である第一野縁材と、前記凹段部を有する中間野縁材と、一直線状である第三野縁材を含み、前記第一野縁材と前記中間野縁材を、前記第一連結具を介して互いに結合させ、前記中間野縁材と前記第三野縁材を、前記第二連結具を介して互いに結合させたものである、
請求項１に記載の天井下地の構造。
【発明の詳細な説明】
【技術分野】
【０００１】
本発明は、建物の梁と交差するように野縁を吊り下げ支持した天井下地の構造に関する。
【背景技術】
【０００２】
特許文献１には、野縁を介して天井板を取り付ける構造が記載されている。この構造では、建物の梁に、平面視において該梁と交差するように野縁を吊り下げ支持することで、天井下地を形成している。
【先行技術文献】
【特許文献】
【０００３】
【特許文献１】特開２０１２−２４１４６４号公報
【発明の概要】
【発明が解決しようとする課題】
【０００４】
従来の構造では、野縁の上側に断熱層を設けるに際して、平面視において梁と野縁が交差する領域には、十分な厚みで断熱層を形成することができなかった。そのため、梁と野縁の交差部分では断熱層に部分的な欠損が生じ、天井部の断熱性が低下するという問題があった。
【０００５】
本発明が解決しようとする課題は、断熱層の部分的な欠損によって天井部の断熱性が低下することを防止した天井下地の構造を提案することにある。
【課題を解決するための手段】
【０００６】
前記課題を解決するために、本発明の一態様に係る天井下地の構造は、建物の梁に吊り下げ支持される連結部と、前記連結部に支持される野縁と、前記野縁の上側に積層される断熱層を具備する。
【０００７】
前記野縁は、平面視において前記梁と交差する領域に、他の部分よりも下方にへこんだ形状の凹段部を有する。
【０００８】
前記断熱層は、前記野縁のうち前記他の部分の上側に積層される第一断熱層と、前記縁の前記凹段部と前記梁との間に積層される第二断熱層を含む。
【発明の効果】
【０００９】
本発明は、天井部の断熱性を高めることができるという効果を奏する。
【図面の簡単な説明】
【００１０】
【図１】実施形態１の天井下地の構造を示す側断面図である。
【図２】実施形態１の天井下地の構造の要部を一部分解して示す側断面図である。
【図３】実施形態１の吊り下げ具と野縁受けを示す斜視図である。
【図４】実施形態１の連結具と野縁を示す斜視図である。
【図５】実施形態２の天井下地の構造を示す側断面図である。
【図６】実施形態２の天井下地の構造の要部を一部分解して示す側断面図である。
【発明を実施するための形態】
【００１１】
（実施形態１）
図１〜図４には、実施形態１の天井下地の構造を示している。
【００１２】
図１に示すように、本実施形態では、建物が備える梁１に対して、連結部２を吊り下げ支持させ、連結部２に野縁３を支持させることで、天井下地を形成する。野縁３の下側に、石膏ボード等の天井板４を固定する。
【００１３】
図２等に示すように、連結部２は、吊下具２１と野縁受け２２と連結具２３を備え、連結具２３で野縁３を支持する。
【００１４】
吊下具２１は、梁１の下端部に吊り下げ支持される金具である。梁１はＨ型鋼であり、水平に位置する上フランジ１１と、上フランジ１１の下方にて水平に位置する下フランジ１２と、上フランジ１１と下フランジ１２を上下に連結させるウエブ１３を備える。
【００１５】
吊下具２１は、水平方向に凹ませた形状の切欠き２１１と、切欠き２１１内に下方から突没自在なボルト２１２を備える。下フランジ１２の半部を切欠き２１１内に挿入した状態で、ボルト２１２を回して上方に移動させることで、ボルト２１２の上端面を下フランジ１２の下面に押し当てて、吊下具２１を下フランジ１２に固定する。吊下具２１は、下方に突出した吊ボルト２１３を、さらに備える。
【００１６】
図３にも示すように、野縁受け２２は、水平に位置する長片２２１と、長片２２１の短手方向の端縁から立ち上がった起立片２２２を備える。長片２２１には、上下方向に貫通する複数の貫通孔２２３を設けている。
【００１７】
野縁受け２２が備える複数の貫通孔２２３のいずれかに対して、吊下具２１が備える吊ボルト２１３を上方から挿通させ、この吊ボルト２１３に対して下方からナット２１４を締結すること（図３参照）で、吊下具２１の下方に野縁受け２２を連結させる。
【００１８】
連結具２３は、水平に位置する底板２３１と、底板２３１の両側端縁から上方に起立する一対の側板２３２とを備えた、コ字型の金具である（図４参照）。一対の側板２３２のそれぞれに、水平方向に切り込んだ形状のスリット２３３と、ネジ等の固定具２４，２５を挿入可能な二箇所の固定孔２３４と、水平方向に長い長孔状の覗き孔２３５が位置する。
【００１９】
コ字型の連結具２３を野縁３に対して下方から嵌め込んだ状態（図４の矢印参照）で、連結具２３が備えるスリット２３３に対して、野縁受け２２が備える長片２２１を側方から挿入することで、野縁受け２２と連結具２３を連結させる。
【００２０】
つまり、吊下具２１と野縁受け２２と連結具２３で構成される連結部２を介して、野縁３は梁１の下方に支持される。平面視において、梁１と野縁３は直角に交差する。
【００２１】
本実施形態において、野縁３は、第一野縁材３０１と第二野縁材３０２の端部同士を、連結具２３を介して一直線状に結合させた構造である。
【００２２】
具体的には、連結具２３の半部に第一野縁材３０１の一端部を嵌め込み、固定孔２３４を通じて固定具２４を挿入することで、連結具２３と第一野縁材３０１を固定する。同様に、連結具２３の別の半部に第二野縁材３０２の一端部を嵌め込み、別の固定孔２３４を通じて固定具２５を挿入することで、連結具２３と第二野縁材３０２を固定する。
【００２３】
連結具２３に固定された第一野縁材３０１と第二野縁材３０２は、連結具２３内において、互いの端部同士を突き合わせて位置する。第一野縁材３０１と第二野縁材３０２の端縁の位置は、連結具２３に設けた覗き孔２３５を通じて、視認可能である。
【００２４】
野縁３を構成する第一野縁材３０１と第二野縁材３０２のうち、平面視において梁１と交差する側の部材である第二野縁材３０２には、凹段部３２を設けている。凹段部３２は、第二野縁材３０２の一部を、下方にむけて矩形状に切り欠いた形状である。
【００２５】
第一野縁材３０１と第二野縁材３０２を一直線状に結合させた野縁３においては、凹段部３２が、野縁３の他の部分３１よりも寸法Ｄ１だけ下方に凹んで位置し、この凹段部３２が平面視において梁１と交差する。
【００２６】
凹段部３２は、少なくとも梁１との交差部分（梁１の下フランジ１２の鉛直下方に位置する部分）において、寸法Ｄ１だけ凹んで位置するように設ける。寸法Ｄ１は、例えば３３［ｍｍ］である。
【００２７】
図１において想像線で示すように、野縁３の上方に積層される断熱層５は、第一断熱層５１と第二断熱層５２に区分される。
【００２８】
第一断熱層５１は、断熱層５のうち、野縁３の凹段部３２以外の部分（野縁３の他の部分３１）に積層されるロックウール層である。第一断熱層５１の厚みＴ１は、例えば２１０［ｍｍ］である。
【００２９】
第二断熱層５２は、野縁３の凹段部３２と、梁１の下フランジ１２との間に積層されるロックウール層である。第二断熱層５２の厚みＴ２は、例えば６３［ｍｍ］である。第二断熱層５２のうち下側の部分は、野縁３の凹段部３２に嵌って位置する。
【００３０】
本実施形態では、梁１と野縁３が平面視で交差する部分において、梁１と野縁３の間に、凹段部３２の内部空間を含んで上下方向に寸法を増した空間が位置し、該空間に、第二断熱層５２を厚みＴ２で充填することができる。
【００３１】
そのため、梁１と野縁３の交差部分が熱橋として働くことを、厚みＴ２の第二断熱層５２によって効果的に抑制し、天井全体の熱貫流率を小さくすることで、断熱性を高めることができる。
【００３２】
本実施形態においては、軽量鉄骨で野縁３を構成しているが、木材等の他の材質で野縁３（つまり第一野縁材３０１や第二野縁材３０２）を構成することも可能である。第二野縁材３０２のうち凹段部３２が位置する領域には、補強板を付加することも好ましい。補強板を付加することで、ねじり剛性等が向上する。
（実施形態２）
図５、図６には、実施形態２の天井下地の構造を示している。
【００３３】
本実施形態の天井下地の構造が備える構成のうち、実施形態１と同様の構成については、同一符号を付して詳しい説明を省略する。
【００３４】
本実施形態において、連結部２は、第一連結構造２０１と第二連結構造２０２を含む。
第一連結構造２０１は、梁１のウエブ１３を挟んで一方の側（図中左側）に位置する構造であり、第二連結構造２０２は、梁１のウエブ１３を挟んで他方の側（図中右側）に位置する構造である。
【００３５】
第一連結構造２０１と第二連結構造２０２は共に、実施形態１で述べた吊下具２１、野縁受け２２、連結具２３等と同様の構成を備える。第一連結構造２０１と第二連結構造２０２は、梁１のウエブ１３を挟んで互いに反転した構成である。
【００３６】
以下において、第一連結構造２０１が備える各構成のうち実施形態１で述べた構成と同様の構成には、実施形態１での名称に「第一」を付加し、符号に「ａ」を付加する。第二連結構造２０２が備える各構成のうち実施形態１で述べた構成と同様の構成には、実施形態１での名称に「第二」を付加し、符号に「ｂ」を付加する。
【００３７】
つまり、第一連結構造２０１は、梁１に吊り下げ支持される第一吊下具２１ａと、第一吊下具２１ａに連結される第一野縁受け２２ａと、第一野縁受け２２ａに取り付けられる第一連結具２３ａとを備え、第一連結具２３ａで野縁３を支持する。
【００３８】
第一吊下具２１ａは、第一切欠き２１１ａと第一ボルト２１２ａと第一吊ボルト２１３ａを備える（図６参照）。第一野縁受け２２ａは、第一長片２２１ａと第一起立片２２２ａを備える。第一連結具２３ａは、側面に第一スリット２３３ａと第一固定孔２３４ａと第一覗き孔２３５ａを備える。
【００３９】
同様に、第二連結構造２０２は、梁１に吊り下げ支持される第二吊下具２１ｂと、第二吊下具２１ｂに連結される第二野縁受け２２ｂと、第二野縁受け２２ｂに取り付けられる第二連結具２３ｂとを備え、第二連結具２３ｂで野縁３を支持する。
【００４０】
第二吊下具２１ｂは、第二切欠き２１１ｂと第二ボルト２１２ｂと第二吊ボルト２１３ｂを備える。第二野縁受け２２ｂは、第二長片２２１ｂと第二起立片２２２ｂを備える。第二連結具２３ｂは、側面に第二スリット２３３ｂと第二固定孔２３４ｂと第二覗き孔２３５ｂを備える。
【００４１】
本実施形態において、野縁３は、第一野縁材３０１と中間野縁材３０４と第三野縁材３０３を、第一連結具２３ａと第二連結具２３ｂを介して、一直線状に結合させた構造である。
【００４２】
図６に示すように、第一連結具２３ａの半部に中間野縁材３０４の一端部を嵌め込み、第一固定孔２３４ａを通じて第一固定具２５ａを挿入することで、第一連結具２３ａと中間野縁材３０４を固定する。また、第一連結具２３ａの別の半部に第一野縁材３０１の一端部を嵌め込み、別の第一固定孔２３４ａを通じて第一固定具２４ａを挿入することで、第一連結具２３ａと第一野縁材３０１を固定する。
【００４３】
同様に、第二連結具２３ｂの半部に中間野縁材３０４の逆側の端部を嵌め込み、第二固定孔２３４ｂを通じて第二固定具２５ｂを挿入することで、第二連結具２３ｂと中間野縁材３０４を固定する。また、第二連結具２３ｂの別の半部に第三野縁材３０３の一端部を嵌め込み、別の第二固定孔２３４ｂを通じて第二固定具２４ｂを挿入することで、第二連結具２３ｂと第三野縁材３０３を固定する。
【００４４】
第一野縁材３０１と中間野縁材３０４は、第一連結具２３ａ内において、互いの端部同士を突き合わせて位置する。なお、第一野縁材３０１と中間野縁材３０４を、一方の端部に対して他方の端部がスライド自在に嵌り込む中空構造に設けることも可能である。
【００４５】
同様に、第三野縁材３０３と中間野縁材３０４は、第二連結具２３ｂ内において、互いの端部同士を突き合わせて位置する。第三野縁材３０３と中間野縁材３０４を、一方の端部に対して他方の端部がスライド自在に嵌り込む中空構造に設けることも可能である。
【００４６】
野縁３を構成する第一野縁材３０１と中間野縁材３０４と第三野縁材３０３のうち、平面視において梁１と交差する中間野縁材３０４に、寸法Ｄ１だけ下方にへこんだ凹段部３２を設けている。
【００４７】
本実施形態においても、図５に想像線で示すように、野縁３の上方に積層される断熱層５は、第一断熱層５１と第二断熱層５２に区分される。第二断熱層５２は厚みＴ２で形成することができ、第二断熱層５２が介在することで、梁１と野縁３の交差部分が熱橋として働くことを効果的に抑制し、天井全体の断熱性を高めることができる。
【００４８】
以上、説明したように、実施形態１，２の天井下地の構造は、下記の構成を第一の特徴として具備する。
【００４９】
つまり、実施形態１，２の天井下地の構造は、建物の梁１に吊り下げ支持される連結部２と、連結部２に支持される野縁３と、野縁３の上側に積層される断熱層５を具備する。野縁３は、平面視において梁１と交差する領域に、他の部分３１よりも下方にへこんだ形状の凹段部３２を有する。断熱層５は、野縁３のうち他の部分３１の上側に積層される第一断熱層５１と、野縁３の凹段部３２と梁１との間に積層される第二断熱層５２を含む。
【００５０】
そのため、実施形態１，２の天井下地の構造においては、野縁３の上側に断熱層５を設けるに際して、平面視において梁１と野縁３が交差する領域に、厚みＴ２で第二断熱層５２を形成することができる。梁１と野縁３の間に厚みＴ２の第二断熱層５２を介在させることで、梁１と野縁３の交差部分が熱橋として働くことを抑え、天井部の断熱性を向上させることが可能となる。
【００５１】
さらに、実施形態１の天井下地の構造は、下記の構成を第２の特徴として具備する。
【００５２】
つまり、実施形態１の天井下地の構造において、野縁３は、一直線状である第一野縁材３０１と、一直線状であり且つ凹段部３２を有する第二野縁材３０２を含み、第一野縁材３０１と第二野縁材３０２を、連結部２（より詳しくは連結具２３）を介して互いに結合させたものである。
【００５３】
そのため、実施形態１の天井下地の構造では、連結部２を介して、第一野縁材３０１と第二野縁材３０２を結合させるとともに、第一野縁材３０１と第二野縁材３０２を梁１に吊り下げ支持することができ、凹段部３２を有する野縁３が簡単に施工可能となっている。また、凹段部３２を有する野縁３は、連結部２によって、ねじり剛性等が向上するように補強される。
【００５４】
さらに、実施形態２の天井下地の構造は、下記の構成を第３の特徴として具備する。
【００５５】
つまり、実施形態２の天井下地の構造において、連結部２は、梁１を挟んで一方の側に位置する第一連結具２３ａと、梁１を挟んで他方の側に位置する第二連結具２３ｂを含む。野縁３は、一直線状である第一野縁材３０１と、凹段部３２を有する中間野縁材３０４と、一直線状である第三野縁材３０３を含む。野縁３は、第一野縁材３０１と中間野縁材３０４を、第一連結具２３ａを介して互いに結合させ、中間野縁材３０４と第三野縁材３０３を、第二連結具２３ｂを介して互いに結合させたものである。
【００５６】
そのため、実施形態２の天井下地の構造では、第一連結具２３ａと第二連結具２３ｂを介して、第一野縁材３０１と中間野縁材３０４と第三野縁材３０３を一直線状に結合させ、梁１に吊り下げ支持することができ、凹段部３２を有する野縁３が簡単に施工可能となっている。また、凹段部３２を有する野縁３は、第一連結具２３ａと第二連結具２３ｂを備える連結部２によって、ねじり剛性等が向上するように補強される。さらに、凹段部３２を設けた中間野縁材３０４はコンパクトに提供することができ、第一野縁材３０１や第三野縁材３０３は一般的な部材を利用できるので、汎用性が高い。
【００５７】
以上、実施形態について説明したが、本発明は前記した各実施形態に限定されない。例えば、実施形態２で示した中間野縁材３０４と第三野縁材３０３を予め結合させたものを、実施形態１の第二野縁材３０２の代わりに用いることも可能である。
【００５８】
その他の構成についても、本発明の意図する範囲内であれば、適宜の設計変更を行うことが可能である。
【符号の説明】
【００５９】
１      梁
２      連結部
２３ａ  第一連結具
２３ｂ  第二連結具
３      野縁
３１    他の部分
３２    凹段部
３０１  第一野縁材
３０２  第二野縁材
３０３  第三野縁材
３０４  中間野縁材
５      断熱層
５１    第一断熱層
５２    第二断熱層
【図１】
2016113831.tif 000003
【図２】
2016113831.tif 000004
【図３】
2016113831.tif 000005
【図４】
2016113831.tif 000006
【図５】
2016113831.tif 000007
【図６】
2016113831.tif 000008